(57)【要約】【課題】防水機能を長期間維持することができる携帯機器を提供する。【解決手段】本発明の携帯機器は、開口部１を有するケース２と、開口部１を覆うケース蓋３とで形成される筐体を有する。ケース２の、ケース蓋３と対向する位置に、開口部１の外周に沿って溝５が設けられており、ケース蓋３の、ケース２の溝５と対応する位置に、溝５に挿入され、溝５を塞ぐためのパッキン７がケース蓋３から突出して設けられている。溝５は、開口部１の中心から近い位置の壁である内壁５ｂと、開口部１の中心から遠い位置の壁である外壁５ａと、内壁５ｂと外壁５ａの間に位置する底面５ｃとからなり、パッキン７は、溝５の内壁５ｂと接する内面７ｂと、溝５の外壁５ａと接する外面７ａと、底面５ｃと対向する先端７ｃとを有する。パッキン７の内面７ｂは、パッキン７の先端７ｃからケース蓋３の表面に近づくにつれて、外面７ａとの間隔が大きくなる方向に傾いている。【選択図】図２
2012174771.tif 000002
【特許請求の範囲】
【請求項１】
開口部を有するケースと、前記開口部を覆うケース蓋とで形成される筐体であって、
前記ケースの、前記ケース蓋と対向する位置に、前記開口部の外周に沿って凹状の溝が設けられており、
前記ケース蓋の、前記ケースの前記溝と対応する位置に、前記溝に挿入され、前記溝を塞ぐためのパッキンが前記ケース蓋から突出して設けられており、
前記溝は、前記開口部の中心から近い位置の壁である内壁と、前記開口部の中心から遠い位置の壁である外壁と、前記内壁と前記外壁の間に位置する底面とからなり、
前記パッキンは、前記溝の前記内壁と接する内面と、前記溝の前記外壁と接する外面と、前記底面と対向する先端とを有し、
前記パッキンの少なくとも一部の前記内面は、前記パッキンの先端から前記ケース蓋の表面に近づくにつれて、前記外面との間隔が大きくなる方向に傾いている、筐体。
【請求項２】
前記パッキンの前記少なくとも一部と対応した前記溝の前記内壁が、前記溝の底面から離れるにつれて、前記溝の前記外壁と離れる方向に傾いている、請求項１に記載の筐体。
【請求項３】
前記パッキンの前記少なくとも一部と対応した前記溝の前記内壁には段部が設けられており、前記内壁の、前記段部から前記溝の開口側は、前記外壁とはさらに離れる方向に窪んでいる、請求項２に記載の筐体。
【請求項４】
前記パッキンの他の一部の前記外面は、前記パッキンの先端から前記ケース蓋の表面に近づくにつれて、前記内面との間隔が大きくなる方向に傾いている、請求項１から３のいずれか１項に記載の筐体。
【請求項５】
前記パッキンの前記他の一部と対応した前記溝の前記外壁が、前記溝の底面から離れるにつれて、前記溝の前記内壁と離れる方向に傾いている、請求項４に記載の筐体。
【請求項６】
前記パッキンの前記他の一部と対応した前記溝の前記外壁には段部が設けられており、前記外壁の、前記段部から前記溝の開口側は、前記内壁とはさらに離れる方向に窪んでいる、請求項５に記載の筐体。
【請求項７】
前記ケース蓋は、ヒンジ部によって前記ケースに対して回転可能に接続されており、前記ヒンジ部の回転軸と前記開口部の一部とが平行になっており、前記開口部の一部に対応する位置の前記溝と対向する前記ケース蓋の前記パッキンの前記内面が前記パッキンの先端から前記ケース蓋の表面に近づくにつれて、前記外面との間隔が大きくなる方向に傾いている、請求項１から６のいずれか１項に記載の筐体。
【請求項８】
前記ケース蓋は、ヒンジ部によって前記ケースに対して回転可能に接続されており、
前記ヒンジ部の回転軸と、前記開口部の一部と、前記開口部の他の一部とが平行になっており、
前記開口部の一部は前記回転軸から近くに位置し、前記開口部の他の一部は前記回転軸から遠くに位置しており、
前記開口部の一部に対応する位置の前記溝と対向する前記ケース蓋の前記パッキンの前記内面が前記パッキンの先端から前記ケース蓋の表面に近づくにつれて、前記外面との間隔が大きくなる方向に傾いており、
前記開口部の他の一部に対応する位置の溝と対向する位置の前記ケース蓋の前記パッキンの前記外面は、前記パッキンの先端から前記ケース蓋の表面に近づくにつれて、前記内面との間隔が大きくなる方向に傾いている、請求項５または６に記載の筐体。
【請求項９】
請求項１から８のいずれか１項に記載の前記筐体と、前記筐体の内部に設けられた回路基板と、を有する携帯機器。
【請求項１０】
開口部および前記開口部の外周に沿って凹状の溝を有するケースと、前記溝に対応する位置に、前記溝に挿入され、前記溝を塞ぐためのパッキンが表面から突出して設けられた、前記開口部を覆うケース蓋と、を嵌合いする方法であって、
前記溝は、前記開口部の中心から近い位置の壁である内壁と、前記開口部の中心から遠い位置の壁である外壁と、前記内壁と前記内壁の間に位置する底面とからなり、
前記溝の内壁を、前記溝の底面から離れるにつれて、前記外壁とは離れる方向に傾斜する形状に形成し、
前記パッキンの前記溝の前記内壁と接する内面を、前記パッキンの先端から前記ケース蓋の表面に近づくにつれて、前記内面と前記溝の前記外壁と接する外面との間隔が大きくなる方向に傾斜する形状に形成して、
前記溝に前記パッキンを挿入する、ケースとケース蓋とを嵌合いする方法。
【発明の詳細な説明】
【技術分野】
【０００１】
本発明は、携帯機器、特に防水機能を有する携帯機器に関する。
【背景技術】
【０００２】
携帯電話機やデジタルカメラなどの携帯機器が幅広く利用されている。これらの携帯機器は、電池などが挿入される開口部を有するケースと、ケースの開口を覆うケース蓋とで、回路基板や電池などを収納する筐体が構成されている。携帯機器が雨などで濡れたりすると、ケースとケース蓋の隙間から水が筐体内に浸入し、筐体内の回路基板などが濡れてしまい、携帯機器が故障してしまうことがある。そのため、携帯機器には防水機能を備えたものが増えている。
【０００３】
関連技術の一例として特許文献１に、カバー（本発明のケースに相当）とカバー蓋（本発明のケース蓋に相当）の防水機能を向上させる方法が示されている。開口部を有するカバーの内側の底面に凹状の溝が設けられており、カバー蓋の、カバーと嵌合いしたときにカバーの溝と対向する位置には、突起が設けられている。この突起はパッキンで覆われており、カバーとカバー蓋とが嵌合いしたときに、溝と突起との隙間をパッキンで塞ぐことで、カバーとカバー蓋とで形成される空間内への水の浸入を防ぐことができる。
【先行技術文献】
【特許文献】
【０００４】
【特許文献１】特開２００３−１５２３５１号公報
【発明の概要】
【発明が解決しようとする課題】
【０００５】
上述した関連技術の一例の防水機能を向上させる方法では、カバーの凹状の溝の断面は、溝を形成する壁が溝の底面に対して垂直に構成されている。そして、カバー蓋の突起を覆っているパッキンの断面形状は、溝の形状と同じか相似となっている。（一般的に、防水機能を向上させるために、溝の外壁と接するパッキンの面は、一部が膨らんだ形状をしている場合がある。）
カバー蓋をカバーの開口部に対して垂直に移動させてカバー蓋とカバーとを嵌合いさせる場合には、互いに干渉することなくカバー蓋とカバーとが嵌合いする。しかしながら、カバー蓋とカバーとがヒンジ部で接続されている場合、カバー蓋はヒンジ部の回転軸を中心にした回転軌道を描きながら、カバー蓋とカバーとが嵌合う。この場合、カバー蓋はヒンジ部を中心とした回転軌道を描いているため、溝に対して平行な状態でパッキンが溝に挿入されず、パッキンと溝とが角度を有した状態で、パッキンが溝に挿入される。そのため、パッキンの先端がカバーの溝の周囲と干渉したり、パッキンが溝の壁面と擦れ合ったりするために、パッキンが傷ついてしまう。パッキンが傷ついてしまうと、パッキンのシール性が低下するため、携帯機器の防水機能が低下してしまう。
【０００６】
本発明の目的は、ケースとケース蓋とがヒンジ部で接続されている筐体を有する携帯機器では、防水機能を維持することが困難である、といった課題を解決する携帯機器を提供することである。
【課題を解決するための手段】
【０００７】
本発明の携帯機器は、開口部を有するケースと、開口部を覆うケース蓋とで形成される筐体を有する。ケースの、ケース蓋と対向する位置に、開口部の外周に沿って凹状の溝が設けられており、ケース蓋の、ケースの溝と対応する位置に、溝に挿入され、溝を塞ぐためのパッキンがケース蓋から突出して設けられている。また、溝は、開口部の中心から近い位置の壁である内壁と、開口部の中心から遠い位置の壁である外壁と、内壁と外壁の間に位置する底面とからなり、パッキンは、溝の内壁と接する内面と、溝の外壁と接する外面と、底面と対向する先端とを有している。そして、パッキンの少なくとも一部の内面は、パッキンの先端からケース蓋の表面に近づくにつれて、外面との間隔が大きくなる方向に傾いている。
【発明の効果】
【０００８】
本発明によると、ケース蓋のパッキンと、ケースの溝との干渉や擦れが低減されるので、ケースとケース蓋とを嵌合いしやすくなり、長期間防水機能を維持することができる。
【図面の簡単な説明】
【０００９】
【図１】本発明に係る携帯機器の一実施形態の外観の概略図である。
【図２】ケース蓋とケースとが嵌合いしていない状態の図１の携帯機器の要部の概略図である。
【図３】ケース蓋とケースとが嵌合いしている状態の図１の携帯機器の要部の概略図である。
【発明を実施するための形態】
【００１０】
以下に、添付の図面に基づき、本発明の実施の形態を説明する。なお、同一の機能を有する構成には添付図面中、同一の番号を付与し、その説明を省略することがある。
【００１１】
図１は、本発明に係る携帯機器の一実施形態の外観の概略図である。図２は、ケース蓋とケースとが嵌合いしていない状態の図１の携帯機器の要部の概略図である。図３は、ケース蓋とケースとが嵌合いしている状態の図１の携帯機器の要部の概略図である。
【００１２】
本発明の携帯電話機などの携帯機器は、長方形をした開口部１を有するケース２と、開口部１を覆うケース蓋３とで筐体が構成され、その内部には不図示の回路基板などが設けられている。
【００１３】
ケース２とケース蓋３とはヒンジ部４で互いに接続されている。ケース蓋３は、ヒンジ部４の回転軸を中心に、ある角度範囲内で回転することで、ケース２の開口部１を覆ったり、ケース２から離れたりすることが可能となっている。また、ケース２の開口部１の外周を構成する辺のうち、１対の辺と、ヒンジ部４の回転軸とが平行になっている。
【００１４】
ケース２の、ケース蓋３と対向する位置に、開口部１の外周に沿って、凹状に窪んだ溝５が設けられている。つまり、長方形の周に沿って溝５が形成されている。また、ケース蓋３の、溝５に対応する位置に突起６が設けられており、突起６はパッキン７で覆われている。
【００１５】
次に、溝５の形状について説明する。溝５は、外壁５ａ、内壁５ｂ、底面５ｃ、および外壁５ａと内壁５ｂとで形成される開口５ｅと、で構成されている。なお、開口部１の中心から近い位置の壁を内壁５ｂ、遠い位置の壁を外壁５ａとする。外壁５ａは、底面５ｃに対して略垂直になっている。また、ヒンジ部４の回転軸に平行で、最もヒンジ部４の回転軸に近い位置の溝５’における内壁５ｂは、底面５ｃから離れるにつれて、外壁５ａとは離れる方向に傾いている。さらに、内壁５ｂには段部５ｄが設けられており、段部５ｄから開口５ｅ側は、外壁５ａとはさらに離れる方向に窪んでいる。
【００１６】
他の位置における溝５は、外壁５ａおよび内壁５ｂが底面５ｃに対して略垂直になっている。
【００１７】
パッキン７は、ケース２とケース蓋３とが嵌合いした状態で、溝５の外壁５ａと外面７ａが、溝５の内壁５ｂと内面７ｂとがそれぞれ接するようになっている。パッキン７の外面７ａは、溝５の外壁５ａと似た形状をしている。なお図１〜３では、一般的なパッキンと同様に、パッキン７の外面７ａの一部が膨らんだ形状を図示している。ヒンジ部４の回転軸に平行で、最もヒンジ部４の回転軸に近い位置の溝５’に対応する位置のパッキン７の内面７ｂは、溝５’の内壁５ｂと同じように、パッキン７の先端７ｃからケース蓋３の表面にいくにつれて外面７ａと離れるように傾いている。ケース２とケース蓋３とが嵌合いした状態、つまり、溝５にパッキン７が挿入された状態で、パッキン７の内面７ｂは、溝５の内壁５ｂと接するようになっている。また、ケース２とケース蓋３とが嵌合いした状態では、溝５の底面５ｃとパッキン７の先端７ｃとが間隔を有するようになっている。このようにすることで、溝５の底面５ｃとパッキン７の先端７ｃとの間隔が、パッキン７が溝５に挿入され変形したときのパッキン７の逃げ部になる。また、パッキン７の先端７ｃと溝５の底面５ｃとが接すると、パッキン７の先端７ｃは溝５の底面５ｃから押し戻される力を受ける。しかしながら、本発明ではパッキン７の先端７ｃと溝５の底面５ｃとが接しないため、パッキン７の先端７ｃはこのような力を受けない。そのため、ケース２とケース蓋３との嵌合いが外れにくくなっている。
【００１８】
次に、ケース２とケース蓋３とを嵌合いする様子について説明する。ケース２にケース蓋３を近づけていくと、ケース蓋３は、ヒンジ部４の回転軸を中心とした回転軌道を描きながら開口部１に近づく。そして、ヒンジ部４の回転軸に平行で、最もヒンジ部４の回転軸に近い位置の溝５’に対応する位置のパッキン７が最初に溝５’に挿入される。このとき、内壁５ｂが、外壁５ａとは離れる方向に傾いており、パッキン７の内面７ｂも内壁５ｂに沿うような形状をしているため、パッキン７と溝５とが擦れにくくなっている。そして、ケース蓋３をさらに移動させると、パッキン７と溝５’とが接触するが、パッキン７の外内面７ａ、７ｂと溝の外内壁５ａ、５ｂとが平行に近い状態で接触し、互いに平行に近い状態で相対的に移動するため、互いに擦れにくくなる。また、溝５’の内壁５ｂには段部５ｄが設けられており、内壁５ｂの、段部５ｄから溝５’の開口５ｅ側は、外壁５ａとはさらに離れる方向に窪んでいるため、パッキン７が溝５’に挿入され始めるときには、パッキン７の先端７ｃが溝５’の内壁５ｂとより接触しにくくなっている。
【００１９】
以上のことにより、パッキン７と溝５’との擦れが減少するため、溝５’にパッキン７を挿入しやすくなり、ケース２とケース蓋３とが嵌合いしやすくなる。また、擦れが抑制されるため、パッキン７の寿命を向上させることができ、長期間に渡って携帯機器の防水機能を維持することができる。
【００２０】
さらに、ケース２とケース蓋３とが嵌合いしたとき、パッキン７は、溝５’の内壁５ｂに対して、底面５ｃと垂直になる方向に力を加えることになる。この力の成分のうち、内壁５ｂに垂直な方向の力に対して内壁５ｂには抗力が生じる。この抗力は、パッキン７を外壁５ａの方向へ押す力となるため、パッキン７と外壁５ａとが強固に密着し、携帯機器の防水機能を向上させることができる。
【００２１】
上述の説明では、ヒンジ部４の回転軸に平行で、最もヒンジ部４の回転軸に近い位置の溝５’以外の位置における溝５は、外壁５ａおよび内壁５ｂが底面５ｃに対して略垂直になっているとしたが、これに限定されない。例えば、ヒンジ部４の回転軸に平行で、ヒンジ部４の回転軸から離れている位置の溝５’’の外壁５ａを、ヒンジ部４の回転軸に平行で、ヒンジ部４の回転軸から近い位置の溝５’の内壁５ｂと同じように、内壁５ｂから離れるように傾斜をつける。そして、ヒンジ部４の回転軸に平行で、ヒンジ部４の回転軸から離れている位置の溝５’’に対応する位置のパッキン７も同様に、パッキン７の先端７ｃから、外面７ａを内面７ａとは離れる方向に傾斜をつける。このようにすることで、ヒンジ部４の回転軸に平行で、ヒンジ部４の回転軸から離れている位置の溝５’’の外壁５ａと、パッキン７の外面７ａとの擦れを少なくすることができる。
【００２２】
さらに、ヒンジ部４の回転軸に平行で、最もヒンジ部４の回転軸に近い位置の溝５’だけではなく、他の位置における溝５の内壁５ｂを外壁５ａから離れるように傾斜させ、同様に全ての位置のパッキン７の内面７ｂを外面７ａから離れるように傾斜させてもよい。このようにすることで、ケース２とケース蓋３とが係合するときに、上述したようにパッキン７の外面７ａと溝５の外壁５ａとが強固に密着し、筐体内への水の浸入を防ぐため、携帯機器の防水機能を向上させることができる。
【００２３】
なお、上述の段部５ｄは、必要に応じて設けるようにすればよい。
【００２４】
上述の説明では、ケース２とケース蓋３とがヒンジ部４で接続されていたが、互いにヒンジ部４で接続されていない構成の筐体の場合でも、本発明は適用でき、関連技術の一例よりもさらに高い防水機能を有する携帯機器を実現することができる。
【００２５】
上述のようにして構成されたケース２とケース蓋３からなる筐体を有する携帯機器は、一般的な防水機能を有する携帯機器に比べて部品を増やすことがなく、新たな製造工程を加える必要がない。そのため、コストの増加も抑制することができる。また、本発明は、特定の携帯機器に限定されず、本発明を利用できるものであるならば、携帯電話機、デジタルカメラ、ノートパソコン、デジタルビデオカメラ、ＰＤＡ（Ｐｅｒｓｏｎａｌ  Ｄｉｇｉｔａｌ  Ａｓｓｉｓｔａｎｔ）、ポータブルテレビなど、いずれであっても構わない。
【符号の説明】
【００２６】
１  開口部
２  ケース
３  ケース蓋
４  ヒンジ部
５  溝
５ａ外壁
５ｂ内壁
５ｃ底面
５ｄ段部
５ｅ開口
６  突起
７  パッキン
７ａ外面
７ｂ内面
７ｃ先端
【図１】
2012174771.tif 000003
【図２】
2012174771.tif 000004
【図３】
2012174771.tif 000005